(57)【要約】      （修正有）【課題】ボックスパレット本体へハンドル部材を容易かつ迅速に付設可能で、部品を紛失する虞れが少なく持ち運びも容易なボックスパレット用ハンドル構造体を提供する。【解決手段】Ｕ字型のハンドル部材４の各端部４１に固着されると共に壁パネル２の表て面側に当接される第１板材５と、壁パネル２の裏面側で第１板材５と対面状に配設される第２板材６と、を備え、第１板材５及び第２板材６は、壁パネル２の幅方向に隣り合う縦杆２１，２１の離間寸法よりも幅狭に形成され、第１板材５の上部５１は、壁パネル２の１つの横杆２２に係止するコの字状の係止部５７を有し、第２板材６の上部６１は、第１板材５の係止部５７にヒンジ部７を介して揺動自在に連結され、第２板材６の下部６２は、壁パネル２の下方側の他の横杆２２よりも下方位置に配設されるフック部６８を有し、第１板材５の前面５ａに取着したパッチン錠８の係合部８８が、第２板材６のフック部６８に係合することで、第１板材５と第２板材６とを、壁パネル２の横杆２２に取着した。【選択図】図３
0003221270.tif 000002
【実用新案登録請求の範囲】
【請求項１】
縦杆（21）と横杆（22）を有する格子状の壁パネル（２）を備える上方開口箱型のボックスパレット本体（１）に付設されるボックスパレット用ハンドル構造体であって、
Ｕ字型のハンドル部材（４）の各端部（41）に固着されると共に上記壁パネル（２）の表て面側に当接される第１板材（５）と、
上記壁パネル（２）の裏面側で上記第１板材（５）と対面状に配設される第２板材（６）と、を備え、
上記第１板材（５）及び上記第２板材（６）は、上記壁パネル（２）の幅方向に隣り合う上記縦杆（21）（21）の離間寸法（Ｗ）よりも幅狭に形成され、
上記第１板材（５）の上部（51）は、上記壁パネル（２）の１つの横杆（22）に係止するコの字状の係止部（57）を有し、
上記第２板材（６）の上部（61）は、上記第１板材（５）の係止部（57）にヒンジ部（７）を介して揺動自在に連結され、
上記第２板材（６）の下部（62）は、上記壁パネル（２）の下方側の他の横杆（22）よりも下方位置に配設されるフック部（68）を有し、
上記第１板材（５）の前面（５ａ）に取着したパッチン錠（８）の係合部（88）が、上記第２板材（６）の上記フック部（68）に係合することで、上記第１板材（５）と上記第２板材（６）とを、上記壁パネル（２）の横杆（22）に取着したことを特徴とするボックスパレット用ハンドル構造体。
【請求項２】
縦杆（21）と横杆（22）を有する格子状の壁パネル（２）を備える上方開口箱型のボックスパレット本体（１）に付設されるボックスパレット用ハンドル構造体であって、
Ｕ字型のハンドル部材（４）の各端部（41）に固着されると共に上記壁パネル（２）の表て面側に当接される第１板材（５）と、
上記壁パネル（２）の裏面側で上記第１板材（５）と対面状に配設される第２板材（６）と、を備え、
上記第１板材（５）及び上記第２板材（６）は、上記壁パネル（２）の上下方向に隣り合う上記横杆（22）（22）の上下間寸法よりも小さく形成され、
上記第１板材（５）の左右一方部（53）は、上記壁パネル（２）の１つの縦杆（21）に係止するコの字状の係止部（57）を有し、
上記第２板材（６）の左右一方部（63）は、上記第１板材（５）の係止部（57）にヒンジ部（７）を介して揺動自在に連結され、
上記第２板材（６）の左右他方部（64）は、上記壁パネル（２）の左右他方側の他の縦杆（21）よりも左右他方位置に配設されるフック部（68）を有し、
上記第１板材（５）の前面（５ａ）に取着したパッチン錠（８）の係合部（88）が、上記第２板材（６）の上記フック部（68）に係合することで、上記第１板材（５）と上記第２板材（６）とを、上記壁パネル（２）の縦杆（21）に取着したことを特徴とするボックスパレット用ハンドル構造体。
【考案の詳細な説明】
【技術分野】
【０００１】
本考案は、ボックスパレット用ハンドル構造体に関する。
【背景技術】
【０００２】
従来、縦杆と横杆を有する格子状の壁パネルを備える上方開口箱型のボックスパレット本体に付設されるハンドル構造体は、平面視Ｕ字型のハンドル部材の端部が固着された第１板材を、ボックスパレット本体の壁パネルの表て面側に配設し、壁パネルの裏面側に当て板用の第２板材を配設して、第１板材と第２板材をボルト・ナット結合することで、第１板材と第２板材とを壁パネルに取着してハンドル部材を付設していた（例えば、特許文献１参照）。
【先行技術文献】
【特許文献】
【０００３】
【特許文献１】登録実用新案第３２１４４９１号公報
【考案の概要】
【考案が解決しようとする課題】
【０００４】
しかし、壁パネルに、第１板材と第２板材をボルト・ナット結合する際に、ボルト部材を回転させるための工具が必要という問題があった。また、着脱させるたびに、ボルト部材を回転させる必要があり着脱作業に時間がかかるといった問題もあった。さらに、壁パネルから取り外した後は、複数の部品（第１板材と第２板材とボルト部材）に分解されるため、紛失の虞れや持ち運びに不便であった。
【０００５】
そこで、本考案は、ボックスパレット本体へハンドル部材を容易かつ迅速に付設可能で、しかも、部品を紛失する虞れが少なく持ち運びも容易なボックスパレット用ハンドル構造体の提供を目的とする。
【課題を解決するための手段】
【０００６】
本考案のボックスパレット用ハンドル構造体は、縦杆と横杆を有する格子状の壁パネルを備える上方開口箱型のボックスパレット本体に付設されるボックスパレット用ハンドル構造体であって、Ｕ字型のハンドル部材の各端部に固着されると共に上記壁パネルの表て面側に当接される第１板材と、上記壁パネルの裏面側で上記第１板材と対面状に配設される第２板材と、を備え、上記第１板材及び上記第２板材は、上記壁パネルの幅方向に隣り合う上記縦杆の離間寸法よりも幅狭に形成され、上記第１板材の上部は、上記壁パネルの１つの横杆に係止するコの字状の係止部を有し、上記第２板材の上部は、上記第１板材の係止部にヒンジ部を介して揺動自在に連結され、上記第２板材の下部は、上記壁パネルの下方側の他の横杆よりも下方位置に配設されるフック部を有し、上記第１板材の前面に取着したパッチン錠の係合部が、上記第２板材の上記フック部に係合することで、上記第１板材と上記第２板材とを、上記壁パネルの横杆に取着したものである。
また、縦杆と横杆を有する格子状の壁パネルを備える上方開口箱型のボックスパレット本体に付設されるボックスパレット用ハンドル構造体であって、Ｕ字型のハンドル部材の各端部に固着されると共に上記壁パネルの表て面側に当接される第１板材と、上記壁パネルの裏面側で上記第１板材と対面状に配設される第２板材と、を備え、上記第１板材及び上記第２板材は、上記壁パネル２の上下方向に隣り合う上記横杆の上下間寸法よりも小さく形成され、第１板材の左右一方部は、上記壁パネルの１つの縦杆に係止するコの字状の係止部を有し、上記第２板材の左右一方部は、上記第１板材の係止部にヒンジ部を介して揺動自在に連結され、上記第２板材の左右他方部は、上記壁パネルの左右他方側の他の縦杆よりも左右他方位置に配設されるフック部を有し、上記第１板材の前面に取着したパッチン錠の係合部が、上記第２板材の上記フック部に係合することで、上記第１板材と上記第２板材とを、上記壁パネルの縦杆に取着したものである。
【考案の効果】
【０００７】
本考案によれば、ハンドル部材を付設するための工具が必要なく、迅速かつ容易に着脱作業を行うことができる。ハンドル着脱作業時間を大幅に削減できる（従来のボルト・ナット結合に比べて作業時間を短縮できる）。ボックスパレット本体から取り外しても、全ての部品（ハンドル部材と第１板材と第２板材）が一体状で、各部品が紛失する虞れが無く、管理と持ち運びが容易である。
【図面の簡単な説明】
【０００８】
【図１】本考案の実施形態を示す斜視図である。
【図２】ハンドル付設完了状態の要部正面図である。
【図３】ハンドル付設完了状態の要部側面図である。
【図４】ハンドル付設途中状態の要部断面側面図である。
【図５】他の実施形態を示し、ハンドル付設完了状態の要部平面図である。
【考案を実施するための形態】
【０００９】
以下、図示の実施形態に基づき本考案を詳説する。
本考案のボックスパレット用ハンドル構造体は、図１に示すように、上下方向に沿った複数本の縦杆21，21と水平方向に沿った複数本の横杆22，22を有する４つ（枚）の格子状の壁パネル２（２Ａ，２Ｂ，２Ｓ，２Ｓ）と、１つ（枚）の矩形状の底パネル３と、を備える上方開口箱型のボックスパレット本体１に付設されるものである。
【００１０】
図１乃至図３に於て、パイプ材から成るＵ字状のハンドル部材４の各端部41が溶接等の固着手段にて直交状に固着される第１板材５を備えている。
【００１１】
第１板材５は、壁パネル２の表て面側（ボックス外方Ｋａ側）に配設され、壁パネル２の横杆22の表て面側に当接し、（正面視で）壁パネル２の幅方向（パネル幅方向）に隣り合う縦杆21と縦杆21の間に配設されている。第１板材５は、パネル幅方向に隣り合うと共に相互に平行な縦杆21と縦杆21の間の離間寸法Ｗ（図２参照）よりも、幅狭の正面視帯板状に形成している。
【００１２】
また、壁パネル２の裏面側（ボックス内方Ｋｂ側）で、第１板材５と対面状に配設される第２板材６を備えている。
第２板材６は、壁パネル２の横杆22の裏面側に当接し、（背面視で）パネル幅方向に隣り合う縦杆21と縦杆21の間に配設されている。第２板材６は、パネル幅方向に隣り合うと共に相互に平行な縦杆21と縦杆21の間の離間寸法Ｗ（図２参照）よりも、幅狭の帯板状に形成している。
【００１３】
図３に示すように、ハンドル付設完了状態で、第１板材５の後面５ｂと第２板材６の前面６ａは壁パネル２（横杆22）を挟んで対面状に配設される。
【００１４】
第１板材５の上部51は、ハンドル付設完了状態で壁パネル２の１つの横杆22（22Ａ）を抱き込み状に係止するコの字状の係止部57を有している。
また、第１板材５の上部51の前面５ａに、ハンドル部材４の端部41が固着されている。さらに、第１板材５は、（ハンドル部材４の端部41よりもパネル幅方向内方位置に配設される）側縁部に、上下方向に沿った前方突出状の補強用の片部55を有している。
【００１５】
言い換えると、第１板材５は、鉛直面状の前面５ａ及び後面５ｂを形成する第１ベース板部50と、第１ベース板部50の上縁部からボックス内方Ｋｂへ水平突出状に形成された後方突出状板部57ｆと、後方突出状板部57ｆの先端から下方へ突出状に形成された垂下状の板部57ｇと、を有している。そして、第１ベース板部50の上縁部と、後方突出状板部57ｆと、垂下状の板部57ｇとで、コの字状の係止部57を形成している。
【００１６】
第１板材５の下部52は、下端縁52ｄからコの字状に切欠いた切欠部58を有している。また、第１板材５の下端縁52ｄは、ハンドル付設完了状態で、上記１つの横杆22Ａの下方位置にある他の横杆22（22Ｂ）の下縁よりも下方位置に配設されている。
【００１７】
さらに、第１板材５の前面５ａには、パッチン錠８が取着している。
パッチン錠８は、第１板材５の前面５ａに固着する基盤部（ベース部材）81と、基盤部81に上下揺動自在に枢着された操作部（レバー部材）82と、操作部82に揺動自在に取着されたリング状の掛け具から成る係合部88と、を有している。
パッチン錠８の引き込み力（係合力）発生構造は、ねじりコイルバネ等の弾発付勢部材によるものや、トグル機構によるもの等自由である。
パッチン錠８は、パチン錠やスナップ錠、トグルラッチ、ドローラッチ（draw latch）とも呼ばれるものである。
【００１８】
次に、第２板材６の上部61は、第１板材５の係止部57にヒンジ部７を介して揺動自在に連結されている。
【００１９】
ヒンジ部７は、蝶番部材（蝶番金具）70で構成されている。
蝶番部材70は、一方片部が係止部57の垂下状の板部57ｇの下端縁部に固着され、他方片部が第２板材６の上端縁部に固着されている。蝶番部材70（ヒンジ部７）の枢着軸心は、パネル幅方向に沿った水平状である。
【００２０】
第２板材６は、下部62に、ハンドル付設完了状態で他の横杆22Ｂの裏面側及び下縁側に当接乃至接近して配設されるＬ字状の掛かり部67と、掛かり部67の先端に連設されハンドル付設完了状態で他の横杆22Ｂよりも下方位置に配設されるフック部68と、を有している。
【００２１】
言い換えると、第２板材６は、鉛直面状の前面６ａ及び後面６ｂを形成する第２ベース板部60と、ハンドル付設完了状態で第２ベース板部60の下縁部からボックス外方Ｋａ側へ水平突出状に形成された前方突出状片部65と、前方突出状片部65の先端から下方へ突出状に形成された垂下状の片部66と、を有している。
そして、第２ベース板部60の下端縁部と、前方突出状片部65の基端部とで、Ｌ字状の掛かり部67を形成している。さらに、前方突出状片部65の先端部と、垂下状の片部66とで倒立Ｌ字状のフック部68を形成している。
【００２２】
フック部68は、ハンドル付設完了状態において、他の横杆22Ｂよりも下方位置に配設され、かつ、第１板材５の切欠部58から前方突出状に配設される（第１板材５の前面５ａよりもボックス外方Ｋａ側に配設される）。
【００２３】
そして、ハンドル付設完了状態は、第１板材５に取着したパッチン錠８の係合部88が、第２板材６のフック部68に係合することで、第１板材５の下部52と第２板材６の下部62が連結状態となり、他の横杆22Ｂを挟持する。第１板材５及び第２板材６が横杆22に取着した状態となる。
【００２４】
ここで、本考案のボックスパレット用ハンドル構造体の付設手順と合わせて構造及び作用を説明する。
図４に示すように、パッチン錠８の係合部88と、第２板材６のフック部68と、の係合解除状態で、第２板材６の下部62を、ヒンジ部７の枢着軸心廻りに上方へ（第１板材５から離間するように）揺動させて、第１板材５の下部52と第２板材６の下部62を開いた開放状態とする。開放状態は、ハンドル付設作業者の手によって保持される。
【００２５】
第１板材５を、ボックス外方Ｋａから壁パネル２の表て面側に接近させる。そして、１つの横杆22Ａと、１つの横杆22Ａよりも上方位置にある別の横杆22（22Ｃ）と、の間に、第２板材６をボックス外方Ｋａからボックス内方Ｋｂへ挿入する。
【００２６】
そして、図３に示すように、第１板材５の係止部57を１つの横杆22Ａに上方から係止しすると、第１板材５の後面５ｂが、壁パネル２（１つの横杆22Ａ及び他の横杆22Ｂ）の表て面側に当接する。
さらに、ハンドル付設作業者の手による開放状態の保持が解除されると（第２板材６から手を離すと）、第２板材６が自重により前方へ揺動して、垂下状姿勢となって、第２板材６の下部62の前面６ａが、壁パネル２（他の横杆22Ｂ）の裏面側に当接する。
【００２７】
ここで、第２板材６が垂下状姿勢になる際に、第２板材６の下部62の前方突出状片部65が、他の横杆22Ｂの下方位置へ配設されると共に、第１板材５の切欠部58をボックス内方Ｋｂ側からボックス外方Ｋａ側へ挿通する。
そして、第２板材６の掛かり部67が他の横杆22Ｂに係止状態乃至係止可能状態となると共に、フック部68が第１板材５の切欠部58を介して第１板材５の前面５ａ（壁パネル２）より前方突出状に配設される。
【００２８】
パッチン錠８の操作部82を下方へ揺動させて、係合部88をフック部68に係止させ、操作部82を元に（所定位置に）戻すことで、係合部88がフック部68を上方へ引き上げるような引き込み力（係合力）が発揮され、第１板材５の下部52と第２板材６の下部62とが他の横杆22Ｂを挟持する。そして、第１板材５及び第２板材６が、横杆22に取着したハンドル付設完了状態となる。
【００２９】
ハンドル付設完了状態は、係止部57が、１つの横杆22Ａに上方から係止して、第１板材５及び第２板材６が下方及び前後へ移動（位置ズレ）するのを防止する。
また、第２板材６の掛かり部67が、他の横杆22Ｂに下方から係止して、第１板材５及び第２板材６が上方及び前方へ移動（位置ズレ）するのを防止する。
また、第１板材５の下部52が、他の横杆22Ｂの表て面側に当接して、後方へ移動（位置ズレ）するのを防止する。さらに、パネル幅方向に隣り合う縦杆21，21によって、左右方向の位置ズレが防止される。
【００３０】
なお、本考案は設計変更可能であって、ボックスパレット本体１は、既存のものに限らず、工場で新規に製造したもの（新品）等自由である。４枚の壁パネル２の内、少なくとも１枚が格子状（柵状）であれば良い。また、本考案のボックスパレット用ハンドル構造体は、１枚板形状の壁パネル２（２Ｓ，２Ｓ，２Ｂ）に付設するのが望ましいが、上半ゲート部28と下半ゲート部29とを有する分割形状の壁パネル２（２Ａ）に付設するも良い。底パネル３は、板型や格子状（柵型）等自由である。上方開口箱型のボックスパレット本体１は、天井（上蓋）パネルが開閉自在に付設されていても良い。図示省略するが、ヒンジ部７は（蝶番部材70を用いずに）、枢結軸部材を用いて第１板材５と第２板材６とを直接的に枢着した部位で構成するも良い。
【００３１】
また、上述の実施形態及び図面において、ハンドル部材４が水平状姿勢となるように配設して、第１板材５と第２板材６とを、横杆22に取着する場合で説明したが、ハンドル部材４が鉛直状姿勢となるように配設して、第１板材５と第２板材６とを、縦杆21に取着するも良い。
即ち、縦杆21と横杆22を有する格子状の壁パネル２を備える上方開口箱型のボックスパレット本体１に付設されるボックスパレット用ハンドル構造体であって、Ｕ字型のハンドル部材４の各端部41に固着されると共に上記壁パネル２の表て面側に当接される第１板材５と、上記壁パネル２の裏面側で上記第１板材５と対面状に配設される第２板材６と、を備え、上記第１板材５及び上記第２板材６は、上記壁パネル２の上下方向に隣り合う上記横杆22，22の上下間寸法よりも小さく形成され、図５に示すように、第１板材５の左右一方部53は、上記壁パネル２の１つの縦杆21（21Ａ）に係止するコの字状の係止部57を有し、上記第２板材６の左右一方部63は、上記第１板材５の係止部57にヒンジ部７を介して揺動自在に連結され、上記第２板材６の左右他方部64は、上記壁パネル２の左右他方側の他の縦杆21（21Ｂ）よりも左右他方位置に配設されるフック部68を有し、上記第１板材５の前面５ａに取着したパッチン錠８の係合部88が、上記第２板材６の上記フック部68に係合することで、上記第１板材５と上記第２板材６とを、上記壁パネル２の縦杆21に取着したボックスパレット用ハンドル構造体とするも良い。
言い換えると、図１乃至図４の実施形態の説明において、上下方向を左右方向に読みかえた構造のボックスパレット構造体とするも良い。例えば、第１板材５の切欠部58は、左右他方端縁54ｄから切欠いている構造である。
【００３２】
また、本考案の説明を容易にするために、ボックスパレット本体１は、上方開口箱型に保持されている状態で、上下方向を説明している。言い換えると、壁パネル２が鉛直面状姿勢の状態（縦杆21が上下方向に沿った状態）で、方向を説明している。また、第１板材５及び第２板材６は、ハンドル付設完了状態での姿勢に基づいて方向を説明している。また、ボックスパレット本体１のボックス外方Ｋａを前方（ボックス内方Ｋｂを後方）として前後方向を説明している。また、主として、ハンドル部材４の一方側の端部41に設けた第１・第２板材５，６やヒンジ部７について説明したが、ハンドル部材４の他方側の端部41にも同様に第１・第２板材５，６やヒンジ部７を設けている。
【００３３】
以上のように、本考案のボックスパレット用ハンドル構造体は、縦杆21と横杆22を有する格子状の壁パネル２を備える上方開口箱型のボックスパレット本体１に付設されるボックスパレット用ハンドル構造体であって、Ｕ字型のハンドル部材４の各端部41に固着されると共に上記壁パネル２の表て面側に当接される第１板材５と、上記壁パネル２の裏面側で上記第１板材５と対面状に配設される第２板材６と、を備え、上記第１板材５及び上記第２板材６は、上記壁パネル２の幅方向に隣り合う上記縦杆21，21の離間寸法Ｗよりも幅狭に形成され、上記第１板材５の上部51は、上記壁パネル２の１つの横杆22に係止するコの字状の係止部57を有し、上記第２板材６の上部61は、上記第１板材５の係止部57にヒンジ部７を介して揺動自在に連結され、上記第２板材６の下部62は、上記壁パネル２の下方側の他の横杆22よりも下方位置に配設されるフック部68を有し、上記第１板材５の前面５ａに取着したパッチン錠８の係合部88が、上記第２板材６の上記フック部68に係合することで、上記第１板材５と上記第２板材６とを、上記壁パネル２の横杆22に取着したので、ハンドル部材４を付設するための工具が必要なく、迅速かつ容易に着脱作業を行うことができる。ハンドル着脱作業時間を大幅に削減できる（従来のボルト・ナット結合に比べて作業時間を短縮できる）。ボックスパレット本体１から取り外しても、全ての部品（ハンドル部材４と第１板材５と第２板材６）が一体状で、各部品が紛失する虞れが無く、管理と持ち運びが容易である。ボックスパレット本体１の複数の壁パネル２の内、所望の壁パネル２にハンドル部材４を付設できる。また、壁パネル２において所望の高さ位置にハンドル部材４を付設できる。各部品（第１板材５や第２板材６）が小さく製造が容易（安価）にできる。
【００３４】
また、縦杆21と横杆22を有する格子状の壁パネル２を備える上方開口箱型のボックスパレット本体１に付設されるボックスパレット用ハンドル構造体であって、Ｕ字型のハンドル部材４の各端部41に固着されると共に上記壁パネル２の表て面側に当接される第１板材５と、上記壁パネル２の裏面側で上記第１板材５と対面状に配設される第２板材６と、を備え、上記第１板材５及び上記第２板材６は、上記壁パネル２の上下方向に隣り合う上記横杆22，22の上下間寸法よりも小さく形成され、図５に示すように、第１板材５の左右一方部53は、上記壁パネル２の１つの縦杆21（21Ａ）に係止するコの字状の係止部57を有し、上記第２板材６の左右一方部63は、上記第１板材５の係止部57にヒンジ部７を介して揺動自在に連結され、上記第２板材６の左右他方部64は、上記壁パネル２の左右他方側の他の縦杆21（21Ｂ）よりも左右他方位置に配設されるフック部68を有し、上記第１板材５の前面５ａに取着したパッチン錠８の係合部88が、上記第２板材６の上記フック部68に係合することで、上記第１板材５と上記第２板材６とを、上記壁パネル２の縦杆21に取着したので、ハンドル部材４を付設するための工具が必要なく、迅速かつ容易に着脱作業を行うことができる。ハンドル着脱作業時間を大幅に削減できる（従来のボルト・ナット結合に比べて作業時間を短縮できる）。ボックスパレット本体１から取り外しても、全ての部品（ハンドル部材４と第１板材５と第２板材６）が一体状で、各部品が紛失する虞れが無く、管理と持ち運びが容易である。ボックスパレット本体１の複数の壁パネル２の内、所望の壁パネル２にハンドル部材４を付設できる。また、壁パネル２において所望の高さ位置にハンドル部材４を付設できる。各部品（第１板材５や第２板材６）が小さく製造が容易（安価）にできる。
【符号の説明】
【００３５】
１  ボックスパレット本体
２  壁パネル
４  ハンドル部材
５  第１板材
５ａ  前面
６  第２板材
７  ヒンジ部
８  パッチン錠
21  縦杆
22  横杆
41  端部
51  上部
53  左右一方部
57  係止部
61  上部
62  下部
63  左右一方部
64  左右他方部
68  フック部
88  係合部
Ｗ  離間寸法
【図１】
0003221270.tif 000003
【図２】
0003221270.tif 000004
【図３】
0003221270.tif 000005
【図４】
0003221270.tif 000006
【図５】
0003221270.tif 000007